(57)【特許請求の範囲】
【請求項１】
前端から垂下片が垂下される浴槽のフランジ部の下面の前記垂下片の背面から後方に所定の間隔をあけた所定の取付位置に取り付けられ、前記垂下片の背面側に挿入されるエプロンの上端部を受ける浴槽のエプロン受け部材であって、前記フランジ部の前記下面に取り付けられる上取付部と、前記上取付部から垂下され前記エプロンの背面に当接する受け部と、を備え、前記上取付部が前記フランジ部の前記下面の前記所定の取付位置に取り付けられた時に、前端が前記垂下片の前記背面に当接する位置決め部が前記上取付部に設けられ、前記位置決め部は、横方向に複数設けられることを特徴とする浴槽のエプロン受け部材。
【請求項２】
前記受け部の前面に前記エプロンの横方向の一部分のみに当接する突部が設けられることを特徴とする請求項１記載の浴槽のエプロン受け部材。
【発明の詳細な説明】
【技術分野】
【０００１】
本発明は、浴槽のエプロン受け部材に関するものである。
【背景技術】
【０００２】
従来より、図５に示すようなエプロンの取付構造が知られている（例えば特許文献１参照）。これは、浴槽１のフランジ部１１の前端から垂下片１２が垂下され、フランジ部１１の下面１１ａに取り付けられたエプロン受け部材２と垂下片１２との間に形成される挿入隙間５に、エプロン３の上端部３１が挿入される。エプロン受け部材２は、フランジ部１１の下面１１ａの所定の取付位置４に接着剤により接着されて取り付けられるものである。
【先行技術文献】
【特許文献】
【０００３】
【特許文献１】特開２００１−２２４５１９号公報
【発明の概要】
【発明が解決しようとする課題】
【０００４】
上記のようなエプロンの取付構造にあっては、エプロン受け部材２が所定の取付位置４に取り付けられていないと、所定の挿入隙間５が形成されない。この場合、エプロン３と垂下片１２とが面一とならなかったり、エプロン３が脱落し易くなる惧れがある、という問題があった。
【０００５】
本発明は上記従来の問題点に鑑みて発明したものであって、その目的とするところは、より確実にフランジ部の下面の所定の取付位置に取り付け可能な浴槽のエプロン受け部材を提供することを課題とするものである。
【課題を解決するための手段】
【０００６】
上記課題を解決するために、本発明は、以下のような構成とする。
【０００７】
前端から垂下片が垂下される浴槽のフランジ部の下面の前記垂下片の背面から後方に所定の間隔をあけた所定の取付位置に取り付けられ、前記垂下片の背面側に挿入されるエプロンの上端部を受ける浴槽のエプロン受け部材であって、前記フランジ部の前記下面に取り付けられる上取付部と、前記上取付部から垂下され前記エプロンの背面に当接する受け部と、を備え、前記上取付部が前記フランジ部の前記下面の前記所定の取付位置に取り付けられた時に、前端が前記垂下片の前記背面に当接する位置決め部が前記上取付部に設けられ、前記位置決め部は、横方向に複数設けられることを特徴とする。
【０００９】
また、前記受け部の前面に前記エプロンの横方向の一部分のみに当接する突部が設けられることが好ましい。
【発明の効果】
【００１０】
本発明の浴槽のエプロン受け部材にあっては、より確実にフランジ部の下面の所定の取付位置に取り付け可能となるものである。
【図面の簡単な説明】
【００１１】
【図１】本発明の一実施形態のエプロン受け部材を設けたエプロン付き浴槽の要部側断面図である。
【図２】同上のエプロン全体を含む要部側断面図である。
【図３】同上のエプロン受け部材を示し、（ａ）は下面図であり、（ｂ）は正面図であり、（ｃ）は平面図であり、（ｄ）は側面図である。
【図４】同上のエプロン受け部材の取り付けを示す浴槽の下方より見た斜視図である。
【図５】従来のエプロンの取付構造の要部側断面図である。
【発明を実施するための形態】
【００１２】
以下、本発明の一実施形態について添付図面に基づいて説明する。
【００１３】
図１に示すように、浴槽１のフランジ部１１の前端からは、垂下片１２が垂下されている。フランジ部１１の下面１１ａの所定の取付位置４にエプロン受け部材２が設けられ、垂下片１２の背面１２ａとエプロン受け部材２の受け部２２の前面との間に形成される挿入隙間５に、エプロン３の上端部３１が挿入される。便宜上、前方は浴槽１から見た洗い場の方向（図中の符号Ｆ）とし、その逆を背方（すなわち後方で、図中の符号Ｂ）とする。
【００１４】
エプロン受け部材２は、図３に示すように、上取付部２１と、受け部２２と、位置決め部２３と、を備えるものである。上取付部２１は、フランジ部１１の下面１１ａの所定の取付位置４に接着剤により取り付けられるもので、この上取付部２１から受け部２２が垂下される。受け部２２は、その前面にエプロン３の背面が当接してこれを受けるもので、上取付部２１が所定の取付位置４に取り付けられた際に、図４に示すように、垂下片１２の背面１２ａから後方に所定の間隔をあけた位置に受け部２２の前面が位置する。
【００１５】
エプロン３は、図２に示すように、浴槽１のフランジ部１１と床部６との間に取付けられて、浴槽１の前面を覆い隠す。エプロン３の上端部３１は上記挿入隙間５に挿入されて取り付けられ、下端部３２は床部６に取り付けられる。本実施形態では、エプロン３の上端部３１が浴槽１側に折り曲げられて、その後端がエプロン受け部材２の受け部２２の前面に当接する当接部３３となり、また、前方に付勢するバネ材からなる付勢部材３４が設けられる。エプロン３の上端部３１は、挿入隙間５に挿入された時に当接部３３が受け部２２の前面に当接し、付勢部材３４が垂下片１２の背面１２ａを押圧して、垂下片１２の背面１２ａと受け部２２の前面との間で突っ張る状態となり、固定される。エプロン３の下端部３２には、浴槽１側に突出する係止部３５が設けられると共に、床部６には前方に開口する略Ｃ字状をした弾性材からなる被係止部６１が設けられる。
【００１６】
エプロン３の装着は、まず、上端部３１が挿入隙間５に挿入され、次に、上端部３１を中心として下端部３２が前方から後方に向けて回動され、係止部３５が前方から被係止部６１に係止され、固定される。係止部３５は、先端と基端との間に膨大部が形成してあり、被係止部６１は、無負荷状態では略Ｃ字状の入口が膨大部よりも小さく内部が膨大部よりも大きい。係止部３５は、その膨大部が被係止部６１の入口を押し広げながら内部に進入し、膨大部が入口から内部に入り込むと入口が復元力により縮小しようとして係止部３５を締め付け、エプロン３の下端部３２の抜け止めがなされる。なお、下端部３２の床部６への取り付けは上記のような係止部３５および被係止部６１に限定されない。
【００１７】
上記のように装着されるエプロン３は、エプロン受け部材２が所定の取付位置４に取り付けられていないと、エプロン３が装着された時に、エプロン３の前面と垂下片１２の前面とが面一とならない。さらに、エプロン３の上端部３１および付勢部材３４が、垂下片１２の背面１２ａと受け部２２の前面との間で所定の力で突っ張ることができない。突っ張り力が弱い場合には脱落し易くなる惧れがあり、突っ張り力が強い場合には浴槽１やエプロン３に過度な力がかかったり取り外し難くなる惧れがある。このため、本実施形態では、エプロン受け部材２が所定の取付位置４に取り付けられるように位置決め部２３が設けられる。
【００１８】
位置決め部２３は、上取付部２１がフランジ部１１の下面１１ａの所定の取付位置４に取り付けられた時に、前端２３ａが垂下片１２の背面１２ａに当接することで、位置決めがなされるもので、受け部２２の前面から前方に向けて突出するように、上取付部２１から連設される。本実施形態では上取付部２１と位置決め部２３と受け部２２は一体に形成されている。
【００１９】
このような位置決め部２３が設けられることで、上取付部２１がフランジ部１１の下面１１ａの所定の取付位置４に、より確実に、より簡単に、すなわち位置決め治具等を用いることなく、上取付部２１が取り付けられる。これにより、エプロン受け部材２が所定の取付位置４に取り付けられないために、エプロン３と垂下片１２とが面一とならなかったり、脱落し易くなったり、浴槽１やエプロン３に過度な力がかかったり、取り外し難くなるといったことが防止可能となる。
【００２０】
また、位置決め部２３は、横方向に複数設けられることが好ましく、本実施形態では左右両側の二箇所に設けられている。位置決め部２３がエプロン受け部材２の横方向の一箇所にのみ設けられていると、上取付部２１がフランジ部１１の下面１１ａの所定の取付位置４に取り付けられる際、垂下片１２の背面１２ａに当接している位置決め部２３の前端２３ａを中心に位置決め部２３が回転してしまう惧れがある。そこで、上記のように位置決め部２３が横方向に複数設けられることで、位置決め部２３が回転するのが防止され、より確実に所定の取付位置４に取り付けられる。
【００２１】
また、受け部２２はその前面でエプロン３の背面を受けるのであるが、本実施形態では、受け部２２の前面にエプロン３の横方向の一部分のみに当接する突部２４が設けられる。具体的には、突部２４は、上下を長手方向とする縦リブからなるものである。受け部２２がエプロン３の横方向の複数部分に当接するようになっている場合、万一、エプロン受け部材２が平面視において傾いて取り付けられていると、エプロン３の背面が傾いている受け部２２の前面に沿って、エプロン３が傾いてしまう惧れがある。エプロン３が傾いて装着されると、ガタつきが発生したり、脱落し易くなる惧れもある。そこで、上記のようにエプロン３の横方向の一部分のみに当接する突部２４が設けられることで、エプロン３が傾いて装着されてしまい、ガタつきが発生したり、脱落し易くなることが防止される。
【符号の説明】
【００２２】
１    浴槽
１１  フランジ部
１２  垂下片
２    エプロン受け部材
２１  上取付部
２２  受け部
２３  位置決め部
２４  突部
３    エプロン
３１  上端部
３３  当接部
３４  付勢部材
４    所定の取付位置
５    挿入隙間
６    床部
【図１】
0005845460.tif 000002
【図２】
0005845460.tif 000003
【図３】
0005845460.tif 000004
【図４】
0005845460.tif 000005
【図５】
0005845460.tif 000006